(57)【要約】【課題】原稿画像上に手書き描画を行った際に、手書き描画されたメッセージや画像により塗りつぶされることなく原稿画像の内容を容易に確認できる出力装置を提供する。【解決手段】原稿画像に手書き描画された画像を合成して出力する機能を備えた出力装置１において、手書き描画を行う原稿画像を取得する原稿取得部１５１１と、手書き描画を行った原稿画像の手書き付原稿画像を取得する手書き付原稿取得部１５１２と、原稿取得部１５１１にて取得した原稿画像と手書き付原稿取得部１５１２にて取得した手書き付原稿画像との差分を抽出する手書き画像取得部１５２１と、手書き画像取得部１５２１にて取得した手書き画像に対して原稿取得部１５１１にて取得した原稿画像を上側に重ねて合成する合成部１５３と、合成部１５３にて合成した画像を出力する出力部１７とを備えたことを特徴とする。【選択図】図１
2013219651.tif 000002
【特許請求の範囲】
【請求項１】
原稿画像に手書き描画された画像を合成して出力する機能を備えた出力装置において、
手書き描画を行う原稿画像を取得する原稿取得部と、
手書き描画を行った原稿画像の手書き付原稿画像を取得する手書き付原稿取得部と、
前記原稿取得部にて取得した原稿画像と前記手書き付原稿取得部にて取得した手書き付原稿画像との差分を抽出する手書き画像取得部と、
前記手書き画像取得部にて取得した手書き画像に対して前記原稿取得部にて取得した原稿画像を上側に重ねて合成する合成部と、
前記合成部にて合成した画像を出力する出力部と、
を備えたことを特徴とする出力装置。
【請求項２】
前記手書き画像取得部にて取得した手書き画像と、前記原稿取得部にて取得した原稿画像の重なり箇所を抽出する重なり画像取得部を備え、
前記合成部は、前記重なり画像取得部にて取得した重なり画像を一番上に重ねて合成することを特徴とする請求項１に記載の出力装置。
【請求項３】
原稿画像に手書き描画された画像を合成して出力する機能を備えた出力装置において、
画像を表示する表示部と、
前記表示部に対する入力を検出するために前記表示部に重ねて設けられたタッチパネル部と、
前記タッチパネルに対する入力により前記表示部に表示された原稿画像に対して手書き描画を行う描画部と、
前記描画部にて描画した画像に対して前記原稿画像を上側に重ねて合成する合成部と、
前記合成部にて合成した画像を出力する出力部と、
を備えたことを特徴とする出力装置。
【請求項４】
前記合成部は、前記原稿画像と前記手書き描画との重なり箇所を特定し、特定した箇所を両者の表示色の中間色にて合成する色合成部を備えたことを特徴とする請求項１または３に記載の出力装置。
【発明の詳細な説明】
【技術分野】
【０００１】
本発明は、出力装置に係り、特に、ベースとなる原稿に対して手書きによる描画を行った後の画像処理を行い出力する機能を備えた出力装置に関する。
【背景技術】
【０００２】
従来、入力された画像を出力する出力装置において、手書きされた原稿をスキャナで読み取ることにより書き込まれた手書きメッセージ情報を抽出して、手書き前の原稿に再度合成するものがあった。
【０００３】
従来技術として、例えば、メッセージ付きプリント作成システムとして、プリント対象画像の画像データに基づいてプリント参照画像を作成するプリント参照画像作成部と、前記プリント参照画像に基づきメッセージ書き込み用紙をプリントするプリント部と、前記メッセージ書込み用紙に書込まれた手書きメッセージを読み取るスキャナ部と、前記スキャナ部からのメッセージ書込み用紙のメッセージ書込みプリント参照画像と前記プリント参照画像とを比較してその差分を抽出して、前記メッセージ及びメッセージの記録位置を特定し、この特定した位置に基づき手書きメッセージとプリン対象画像とを画像合成する画像合成部とを備えて、前記画像合成部からの合成画像データに基づきプリントを作成するようにしたものが提案されている（特許文献１を参照）。
【０００４】
このように構成することで、仕上がったプリント写真にメッセージを書込んだり貼り付けたりする必要がなく、簡単にメッセージ入りのプリントが得られる。
【先行技術文献】
【特許文献】
【０００５】
【特許文献１】特開２００６−１２６８３４号公報
【発明の概要】
【発明が解決しようとする課題】
【０００６】
しかしながら、特許文献１に記載のプリントシステムでは、多くの場合、原稿内容に対して手書きメッセージを書き込むため、原稿内容が確認出来ない手書きメッセージの意味も分からない場合があり、通常、原稿の記載より手書きメッセージの方が太く、更に大きく書き込まれることが多いので、手書きメッセージが原稿内容と重なった位置に書き込まれていた場合、原稿内容が手書きメッセージにより隠れて確認出来ないという問題があった。
【０００７】
本発明は、上記従来の問題点に鑑みてなされたものであって、原稿画像上に手書き描画を行った際に、手書き描画されたメッセージや画像により塗りつぶされることなく原稿画像の内容を容易に確認できる出力装置を提供することを目的とする。
【課題を解決するための手段】
【０００８】
上述した課題を解決するための本発明に係る出力装置は、次の通りである。
【０００９】
本発明は、原稿画像に手書き描画された画像を合成して出力する機能を備えた出力装置において、手書き描画を行う原稿画像を取得する原稿取得部と、手書き描画を行った原稿画像の手書き付原稿画像を取得する手書き付原稿取得部と、前記原稿取得部にて取得した原稿画像と前記手書き付原稿取得部にて取得した手書き付原稿画像との差分、すなわち手書き画像（手書き描画された画像）を抽出する手書き画像取得部と、前記手書き画像取得部にて取得した手書き画像に対して前記原稿取得部にて取得した原稿画像を上側に重ねて合成する合成部と、前記合成部にて合成した画像を出力する出力部と、を備えたことを特徴とするものである。
【００１０】
また、本発明は、前記手書き画像取得部にて取得した手書き画像と、前記原稿取得部にて取得した原稿画像の重なり箇所を抽出する重なり画像取得部を備え、前記合成部により、前記重なり画像取得部にて取得した重なり画像を一番上に重ねて合成することが好ましい。
【００１１】
また、本発明は、原稿画像に手書き描画された画像を合成して出力する機能を備えた出力装置において、画像を表示する表示部と、前記表示部に対する入力を検出するために前記表示部に重ねて設けられたタッチパネル部と、前記タッチパネルに対する入力により前記表示部に表示された原稿画像に対して手書き描画を行う描画部と、前記描画部にて描画した画像に対して前記原稿画像を上側に重ねて合成する合成部と、前記合成部にて合成した画像を出力する出力部と、を備えたことを特徴とするものである。
【００１２】
また、本発明は、前記合成部の構成として、前記原稿画像と前記手書き描画との重なり箇所を特定し、特定した箇所を両者の表示色の中間色にて合成する色合成部を備えることが好ましい。
【発明の効果】
【００１３】
本発明の出力装置によれば、原稿画像に手書き描画された画像を合成して出力する機能を備えた出力装置において、手書き描画を行う原稿画像を取得する原稿取得部と、手書き描画を行った原稿画像の手書き付原稿画像を取得する手書き付原稿取得部と、前記原稿取得部にて取得した原稿画像と前記手書き付原稿取得部にて取得した手書き付原稿画像との差分を抽出する手書き画像取得部と、前記手書き画像取得部にて取得した手書き画像に対して前記原稿取得部にて取得した原稿画像を上側に重ねて合成する合成部と、前記合成部にて合成した画像を出力する出力部と、を備えたことで、原稿画像上に手書き描画を行った場合でも、手書き描画されたメッセージや画像により塗りつぶされることなく原稿画像の内容を容易に確認することができる。
【００１４】
また、本発明によれば、前記手書き画像取得部にて取得した手書き画像と、前記原稿取得部にて取得した原稿画像の重なり箇所を抽出する重なり画像取得部を備え、前記合成部により、前記重なり画像取得部にて取得した重なり画像を一番上に重ねて合成することで、手書き描画されたメッセージや画像により塗りつぶされることなく原稿画像の内容を容易に確認することができる。
【００１５】
また、本発明によれば、原稿画像に手書き描画された画像を合成して出力する機能を備えた出力装置において、画像を表示する表示部と、前記表示部に対する入力を検出するために前記表示部に重ねて設けられたタッチパネル部と、前記タッチパネルに対する入力により前記表示部に表示された原稿画像に対して手書き描画を行う描画部と、前記描画部にて描画した画像に対して前記原稿画像を上側に重ねて合成する合成部と、前記合成部にて合成した画像を出力する出力部と、を備えたことで、原稿画像上に手書き描画を行った場合でも、手書き描画されたメッセージや画像により塗りつぶされることなく原稿画像の内容を容易に確認することができる。
【００１６】
また、本発明によれば、前記合成部の構成として、前記原稿画像と前記手書き描画との重なり箇所を特定し、特定した箇所を両者の表示色の中間色にて合成する色合成部を備えることで、手書き描画されたメッセージや画像により塗りつぶされることなく原稿画像の内容を容易に確認することができる。
【図面の簡単な説明】
【００１７】
【図１】本発明の実施形態に係る出力装置の構成を示す説明図である。
【図２】前記出力装置による原稿画像の印刷処理の流れを示すフローチャートである。
【図３】（ａ）は前記出力装置において読取られる原稿データの一例を示す説明図、（ｂ）は前記原稿データに手書きデータを加えた手書き付け原稿データの一例を示す説明図、（ｃ）は前記手書きデータを示す説明図である。
【図４】（ａ）は前記原稿データを前景データとして示す説明図、（ｂ）は前記手書きデータを背景データとして示す説明図、（ｃ）は前記出力装置に表示される印字データを示す説明図である。
【発明を実施するための形態】
【００１８】
以下、本発明を実施するための形態について図面を参照して説明する。
図１は本発明を実施する形態の一例であって、本発明の実施形態に係る出力装置の構成を示す説明図である。
【００１９】
本実施形態は、入力された画像データに基づき画像出力を行う画像形成装置を構成する出力装置であって、出力される基になる原稿画像に手書き描画された画像を合成して出力する機能を備えたものである。
【００２０】
本実施形態に係る出力装置１は、図１に示すように、主に、読取部１１、表示部１２、タッチパネル部１３、外部データ取得部１４、制御部１５、画像記憶部１６、出力部１７等を備えて構成されている。
【００２１】
読取部１１は、原稿に光りを照射し、その反射光をセンサにて検出することにより画像を読み取るスキャナから構成されている。
【００２２】
表示部１２は、バックライトを備えた液晶パネルや自己発光のＥＬパネル等を用いて構成され、画像情報をパネルに表示することを可能としている。
【００２３】
タッチパネル部１３は、表示部１２に重なる様に設けられた光遮断方式等からなる入力装置である。このタッチパネル部１３は、静電容量結合方式を用いることにより表示部１２にて兼ねることも可能である。
【００２４】
外部データ取得部１４は、装置外からのデータを取得するためのもので、例えばメモリカード等のインターフェース、ＬＡＮ等の接続インターフェースから構成されている。
【００２５】
制御部１５は、装置を構成する個々の構成要素の動作を制御するものである。本実施形態では、特に画像処理部１５０を備えることを特徴としている。
【００２６】
画像記憶部１６は、読取部１１、タッチパネル部１３、外部データ取得部１４等により取得したデータ、制御部１５の画像処理部１５０において処理されたデータ等を複数記憶することが可能に構成されている。
【００２７】
記憶されるデータとしては、例えば、原稿データ１６１、手書き付原稿データ１６２、手書きデータ１６３、前景データ１６４、背景データ１６５、印字データ１６６、等がある。
【００２８】
出力部１７は、用紙に印刷を行うための印刷装置である。
【００２９】
次に、本実施形態の出力装置１の特徴的な画像処理部１５０の構成について具体的に説明する。
【００３０】
画像処理部１５０は、図１に示すように、解析部１５１、抽出部１５２、合成部１５３を備えている。
【００３１】
解析部１５１は、手書き描画を行う基になる原稿画像を取得する原稿取得部１５１１と、手書き描画を行った原稿画像の手書き付原稿画像を取得する手書き付原稿取得部１５１２とを備えている。
【００３２】
抽出部１５２は、原稿取得部１５１１にて取得した原稿画像と手書き付原稿取得部１５１２にて取得した手書き付原稿画像との差分を抽出する手書き画像取得部１５２１と、手書き画像取得部１５２１にて取得した手書き画像と原稿取得部１５１１にて取得した原稿画像の重なり箇所を抽出する重なり画像取得部１５２２を備えている。
【００３３】
合成部１５３は、手書き画像取得部１５２１にて取得した手書き画像に対して原稿取得部１５１１にて取得した原稿画像を上側に重ねて合成する機能と、重なり画像取得部１５２２にて取得した重なり画像を一番上に重ねて合成する機能を備えている。さらに、合成部１５３は、原稿画像と手書き描画との重なり箇所を特定し、特定した箇所を両者の表示色の中間色にて合成する色合成部１５３１を備えている。
【００３４】
本実施形態では、出力部１７は、合成部１５３にて合成した画像を出力する機能を備えている。
【００３５】
次に、本実施形態の出力装置１により、原稿画像に手書き描写により画像を追記した原稿を印刷する処理についてフローチャートに沿って説明する。
図２は本実施形態の出力装置による原稿画像の印刷処理の流れを示すフローチャート、図３（ａ）は前記出力装置において読取られる原稿データの一例を示す説明図、（ｂ）は前記原稿データに手書きデータを加えた手書き付け原稿データの一例を示す説明図、（ｃ）は前記手書きデータを示す説明図、図４（ａ）は前記原稿データを前景データとして示す説明図、（ｂ）は前記手書きデータを背景データとして示す説明図、（ｃ）は前記出力装置に表示される印字データを示す説明図である。
【００３６】
本実施形態の出力装置１により、原稿画像に手書き描写により画像を追記した原稿を印刷する処理は以下のように実行される。
図２に示すように、出力装置１において印刷処理が実行されると、まず、ユーザからスキャンの指示があったか否かが判断される（ステップＳ１）。
【００３７】
（実施例１）
以下、読取部１１により原稿を読取り、印刷された原稿に対して手書き描画した原稿画像の印刷処理を行う場合について説明する。
【００３８】
図２に示すように、ステップＳ１において、ユーザからスキャンの指示があったと判断された場合は、読取部１１において原稿台の原稿をスキャナにより読み取り（ステップＳ２）、原稿画像を取得して、図３（ａ）に示すように、画像記憶部１６に原稿画像を原稿データ１６１として記憶する（ステップＳ３）。
【００３９】
そして、引き続き、ユーザからスキャンの指示があるまで、スキャンの指示があったか否かが判断され（ステップＳ４）、ユーザからスキャンの指示があったと判断された場合には、手書きされた原稿を読取部１１において原稿台からスキャナにより読み取り（ステップＳ５）、手書き付原稿画像を取得して、図３（ｂ）に示すように、画像記憶部１６に手書き付原稿画像を手書き付原稿データ１６２として記憶する（ステップＳ６）。
【００４０】
そして、画像処理部１５０の抽出部１５２における手書き画像取得部１５２１において、ステップＳ６にて記憶した手書き付原稿画像からベースとなる色（例えば、紙の場合は通常白色）を画像処理部１５０の解析部１５１にて除外した画像と、ステップＳ３にて記憶した原稿画像との差分として手書き画像を抽出し（ステップＳ７）、図３（ｃ）に示すように、画像記憶部１６に抽出した手書き画像を手書きデータ１６３として記憶する（ステップＳ８）。
【００４１】
そして、画像処理部１５０の抽出部１５２における重なり画像取得部１５２１において、ステップＳ８にて記憶した手書き画像と、ステップＳ３にて記憶した原稿画像の重なり箇所（重なり画像）を抽出し（ステップＳ９）、合成部１５３における色合成部１５３１において、抽出された重なり画像に対して、該当箇所の手書き画像と原稿画像の色の中間の色を付与する。
【００４２】
そして、ステップＳ９にて抽出した重なり画像を一番上に配置して、ステップＳ３にて記憶した原稿画像を図４（ａ）に示す前景データ１６４として二番目に重ねて配置し、ステップＳ８にて記憶した手書き画像を図４（ｂ）に示す背景データ１６５として三番目に重ねて配置して（ステップＳ１０）、図４（ｃ）に示すように、表示部１２にて印字データ１６６として表示する（ステップＳ１１）。
【００４３】
印字データ１６６は、図４（ｃ）に示すように、原稿画像である原稿データ１６１が手書き画像である手書きデータ１６３によって塗りつぶされることなく、原稿画像の内容が容易に確認できる状態で表示される。
【００４４】
そして、印刷指示があったか否かが判断される（ステップＳ１２）。
ステップＳ１２において、印刷指示があったと判断された場合は、出力部１７にてステップＳ１０にて合成した順の画像（図４（Ｃ）に示す印字データ１６６）の印刷が実行される（ステップＳ１３）。そして、ステップＳ１２に戻り、印刷指示があったか否かが繰り返し確認される。
【００４５】
ステップＳ１２において、印刷指示がないと判断された場合は、印刷処理を終了するか否かが判断される（ステップＳ１４）。ステップＳ１４において、印刷処理を終了しないと判断された場合は、ステップＳ１２に戻り、印刷指示があったか否かが繰り返し確認される。一方、ステップＳ１４において、印刷処理を終了すると判断された場合は、出力装置１による原稿画像の印刷処理が終了する。
【００４６】
このようにして、原稿画像に加えて手書き描画された原稿は、図４（ｃ）に示すように、印字データ１６６として、原稿画像である原稿データ１６１の内容が手書き画像である手書きデータ１６３によって塗りつぶされることなく、原稿画像の内容が容易に確認できる状態で印刷される。
【００４７】
（実施例２）
ここで、ステップＳ１に戻り、スキャンの指示がない場合の処理工程について説明する。以下に示す処理工程は、上述したように印刷された原稿に対して手書き描画した原稿画像の印刷処理ではなく、出力装置１の表示部１２の表示画面上に表示された画像に対して手書き入力により描画した原稿画像の印刷処理に関するものである。
【００４８】
図２に示すように、ステップＳ１において、ユーザからスキャンの指示がないと判断された場合は、ブラウザの表示指示があったか否かが判断される（ステップＳ１５）。
【００４９】
ステップＳ１５において、ブラウザの表示指示があったと判断された場合は、ステップＳ２で実行される原稿のスキャンに換わり、通信回線（ネットワーク）を介してＷｅｂより表示画面を取得する（ステップＳ１６）。一方、ステップＳ１５において、ブラウザの表示指示がないと判断された場合は、ステップＳ１に戻り、スキャンの指示の有無の確認が繰り返される。
【００５０】
なお、ステップＳ１６の処理に替え、メモリカード等から画像を取得する様にしても良い。
【００５１】
そして、ステップＳ１６にて取得した表示画面を、例えば、実施例１と同じように、図３（ａ）に示すように、原稿データ１６１として画像記憶部１６に記憶するとともに、表示部１２にその取得した画像を表示する（ステップＳ１７）。画像表示後、図示していない本体内のペン描画ソフトが起動するようになっている。
【００５２】
そして、ペン描画ソフトにて画面に対するタッチ操作が行われたか否かが判断される（ステップＳ１８）。ステップＳ１８において、タッチ操作が行われたと判断された場合は、ステップＳ１８にて画面タッチされた位置がペン描画ソフトのアイコン位置に相当する箇所であるか否かが判断される（ステップＳ１９）。一方、ステップＳ１８において、タッチ操作が行われていないと判断された場合は、タッチ操作が確認されるまで判断処理が繰り返される。
【００５３】
ステップＳ１９において、画面タッチされた位置がペン描画ソフトのアイコン位置に相当する箇所ではないと判断された場合は、ユーザはタッチ箇所に対して描画を行い（ステップＳ２０）、表示部１２に手書き描画を表示する（ステップＳ２１）。そして、ステップＳ１８に戻り、画面へのタッチ操作が確認される。
【００５４】
なお、ステップＳ２０における描画処理は、ステップＳ１７にて記憶した表示画面（原稿データ１６１）とは別に描画処理専用の記憶領域を設け、ステップＳ２１における表示部１２への表示時に、ステップＳ１７の表示画面に対して、描画処理専用の記憶領域の情報（手書き描画）を重ねて表示する。
【００５５】
即ち、ステップＳ３の原稿画像（原稿データ１６１）に相当する画像が、ステップＳ１７の表示画面であり、ステップＳ８の手書き画像（手書きデータ１６３）が、ステップＳ２０の描画処理された画像に相当する。
【００５６】
一方、ステップＳ１９において、画面タッチされた位置がペン描画ソフトのアイコン位置に相当する箇所であると判断された場合は、タッチされたアイコン位置が描画の終了を意味するアイコン位置であるか否かが判断される（ステップＳ２２）。
【００５７】
ステップＳ２２において、タッチされたアイコン位置が描画の終了を意味するアイコン位置であると判断された場合は、ペン描画ソフトを終了させた後、ステップＳ９、そして、ステップＳ１０へと進み、描画処理された画像を表示画面の後ろ側に重ねて配置して、表示部１２に合成表示させる（ステップＳ１１）。
【００５８】
一方、ステップＳ２２において、タッチされたアイコン位置が描画の終了を意味するアイコン位置ではないと判断された場合は、アイコンが意味するアイコンの処理を実行する（ステップＳ２３）。そして、ステップＳ１８に戻り、画面へのタッチ操作が確認される。
【００５９】
なお、ステップＳ２３におけるアイコン処理としては、描画の色の変更、描画の太さの変更、描画の消去等である。
【００６０】
以下、実施例１と同様に、印刷指示があったか否かが判断される（ステップＳ１２）。
ステップＳ１２において、印刷指示があったと判断された場合は、合成処理された画像（図４（Ｃ）に示す印字データ１６６）の印刷が実行される（ステップＳ１３）。そして、ステップＳ１２に戻り、印刷指示があったか否かが繰り返し確認される。
【００６１】
ステップＳ１２において、印刷指示がないと判断された場合は、印刷処理を終了するか否かが判断される（ステップＳ１４）。ステップＳ１４において、印刷処理を終了しないと判断された場合は、ステップＳ１２に戻り、印刷指示があったか否かが繰り返し確認される。一方、ステップＳ１４において、印刷処理を終了すると判断された場合は、出力装置１による原稿画像の印刷処理が終了する。
【００６２】
このようにして、表示部１２に表示された表示画面（原稿データ１６１）に加えてペン描画ソフトにて手書き描画された画像は、図４（ｃ）に示すように、印字データ１６６として、表示画面（原稿データ１６１）の内容が描画された画像（手書きデータ１６３）によって塗りつぶされることなく、原稿データ１６１の内容が容易に確認できる状態で印刷される。
【００６３】
以上のように構成したので、本実施形態によれば、原稿画像に手書き描画された画像を合成して出力する機能を備えた出力装置１において、画像処理部１５０として、解析部１５１、抽出部１５２、合成部１５３を備え、解析部１５１として、手書き描画を行う基になる原稿画像を取得する原稿取得部１５１１と、手書き描画を行った原稿画像の手書き付原稿画像を取得する手書き付原稿取得部１５１２とを備え、抽出部１５２として、原稿取得部１５１１にて取得した原稿画像と手書き付原稿取得部１５１２にて取得した手書き付原稿画像との差分を抽出する手書き画像取得部１５２１と、手書き画像取得部１５２１にて取得した手書き画像と原稿取得部１５１１にて取得した原稿画像の重なり箇所を抽出する重なり画像取得部１５２２を備え、合成部１５３として、手書き画像取得部１５２１にて取得した手書き画像に対して原稿取得部１５１１にて取得した原稿画像を上側に重ねて合成する機能と、重なり画像取得部１５２２にて取得した重なり画像を一番上に重ねて合成する機能を備えるとともに、原稿画像と手書き描画との重なり箇所を特定し、特定した箇所を両者の表示色の中間色にて合成する色合成部１５３１を備え、合成部１５３にて合成した画像を出力する出力部１７を備えることで、原稿画像（原稿データ１６１）上に手書き描画（手書きデータ１６３）を行った場合でも、図４（ｃ）に示すように、原稿画像の内容が手書き描画された画像により塗りつぶされることなく容易に確認することができる。
【００６４】
なお、上述した実施形態では、実施例１として、スキャンされた原稿画像に基づいて、印刷後の画像に対して手書き描画した原稿画像を印刷処理する場合と、実施例２として、ネットワークを介して取得した画像データに基づいて、表示部１２の画面上に表示した画像に対して手書き入力により画像を描写した画像を印刷処理する場合について説明しているが、本発明は、原稿画像に対する手書き描写の仕方に限定されるものではなく、例えば、上述した２つの方式を組み合わせたような方式を用いてもよい。
【００６５】
以上のように、本発明は、上述した実施形態や変形例に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６６】
１  出力装置
１１  読取部
１２  表示部
１３  タッチパネル部
１４  外部データ取得部
１５  制御部
１６  画像記憶部
１７  出力部
１５０  画像処理部
１５１  解析部
１５２  抽出部
１５３  合成部
１６１  原稿データ
１６２  手書き付原稿データ
１６３  手書きデータ
１６４  前景データ
１６５  背景データ
１６６  印字データ
１５１１  原稿取得部
１５１２  手書き付原稿取得部
１５２１  手書き画像取得部
１５２２  重なり画像取得部
１５３１  色合成部
【図１】
2013219651.tif 000003
【図２】
2013219651.tif 000004
【図３】
2013219651.tif 000005
【図４】
2013219651.tif 000006